(57)【要約】      （修正有）【課題】煮こぼれ防止の為に、鍋蓋を二重構造にして、つまみをスライドさせる事により、鍋蓋に設けた抜気孔の開口部から熱を外部に逃がすことが出来、抜気孔の大きさを自由に調節して、ふきこぼれの防止が簡単に出来る鍋蓋を提供する。【解決手段】組み立て、つまみ１に中軸５と上蓋２を固着して、上蓋２と下蓋３の間にリング６を介して中軸５を挿入し、下蓋３の裏面に脱着自在の係止具７を設け、係止具７はずして上蓋２と下蓋を別々に洗浄が可能であり、組み立ても簡単である。上蓋２と下蓋３に等間隔、同一の抜気孔４を設け、つまみ１をスライドさせる事により、開閉自在に開口部の大きさを調節し、温度調節をし、熱い空気を外部に逃がすことができる。下蓋３に等間隔に設けた抜気孔４’と抜気孔４’の間に、上蓋２の抜気孔４をスライドさせて持ってくると、二重鍋蓋の抜気孔４、４’が閉まり普通の鍋蓋として使用できる煮こぼれ防止の二重鍋蓋である。【選択図】図３
0003124612.tif 000002
【実用新案登録請求の範囲】
【請求項１】
二重の鍋蓋に１〜複数の同一の抜気孔を設け、上鍋蓋をスライドする事により開閉自在に抜気孔の大きさを調節し、煮こぼれを防止する煮こぼれ防止の二重鍋蓋。
【請求項２】
請求項１記載の鍋蓋のつまみに中軸と上蓋が固着され、リングを介して下蓋の裏面に係止具を設け、上蓋を脱着自在に脱着出来ることを特徴とする煮こぼれ防止の二重鍋蓋。
【考案の詳細な説明】
【技術分野】
【０００１】
煮こぼれ防止のために鍋蓋を二重構造にして、つまみにより上蓋と下蓋に、等間隔に同一に設けた抜気孔の開口部を自由に大きさを調節でき、一致する迄動かすと最大になり、加熱による熱い空気を外部に逃がし、煮汁や吹きこぼれを防止するための加熱調節が簡単に出来る煮こぼれ防止のための二重鍋蓋に関するものである。
【背景技術】
【０００２】
従来、煮物を炊く時密封した鍋の温度が上昇して膨張し、急に煮こぼれしてガスの火を消す事や火傷をする事もあり、とても危険であった。それを防ぐ為に鍋蓋をずらせたり、蓋と鍋の間に長い箸を渡して熱い空気を逃がし、煮こぼれや吹きこぼれを防止したりしていた。鍋蓋の周縁と鍋本体との間に隙間を形成させた状態を確保できる煮こぼれ防止鍋蓋ホルダーを設けたや、ガラス製鍋蓋の中央につまみの取り付けを兼ねた比較的大きな穴を明けつまみ取りつけ止め金に蒸気抜きパイプを通してパイプ内に蒸気弁を取り付けた物など、いろいろあるが、一長一短がある。
【０００３】
【特許文献１】特願平８−４４６９２号
【特許文献２】特願２００４−２６７７８９
【考案の開示】
【考案が解決しようとする課題】
【０００４】
煮物などの煮こぼれ防止や茶瓶の吹きこぼれ防止の為に、二重鍋蓋に抜気孔を設け、つまみをスライドさせるだけで、抜気孔の大きさを調節でき、熱を外部に逃がし煮汁や吹きこぼれの防止を簡単に出来る二重鍋蓋を課題とした。  
【課題を解決するための手段】
【０００５】
本考案は、この様な従来の構成が有していた問題を解決しようとするものであり、鍋蓋を二重構造にして、上蓋と下蓋に等間隔に設けた同一の抜気孔を、つまみをスライドする事により、蓋を開けずに温度調節が出来、保温を保つようにする。
【０００６】
つまみに中軸と上蓋が固着され、上蓋と下蓋が密着した二重鍋蓋の上蓋を、つまみにより自由にスライドする事ができ、リングを介して下蓋の裏面に脱着自在の係止具を設ける。
【０００７】
下蓋に設けた等間隔の抜気孔と抜気孔の間に、上蓋の抜気孔をスライドして持ってくると抜気孔は密封され、普通の鍋蓋として使用できる。
【０００８】
つまみに中軸と上蓋が固着され、リングを介して下蓋の裏面に脱着自在の係止具を設けているので、回転による磨耗を防ぎ、回転が楽にできる。
【０００９】
上蓋を回すには、つまみ以外に上蓋の一部に突起を設けてスライドしても同じ効果を出す事ができる。
【００１０】
抜気孔は、１〜複数孔を蓋の何れの場所に設けても良いが、上蓋周辺に上蓋下蓋に等間隔に同一に設けて方が、汚れが付着してもつまみ近くまで及びにくいので望ましい。
【考案の効果】
【００１１】
従来は、加熱による煮物の吹きこぼれ防止の為、鍋蓋をずらしたり、又は蓋をはずしたり、鍋と蓋の間に長い箸などを渡して隙間を作って加熱上昇した空気を外部に逃がして温度調節をしていたのを、鍋蓋のつまみを動かすだけで温度調節ができ、簡単に煮汁などの吹きこぼれを防止する事ができるようにした二重鍋蓋である。
【００１２】
つまみに中軸と上蓋が固着され、リングを介して下蓋の裏面に脱着自在の係止具で係止し、つまみを自由にスライドする事が出来るので、上蓋と下蓋に同一に等間隔に設けた抜気孔の開口部を適度の大きさに調節する事ができ、蓋を開けずに温度調節の加減をしながら熱い空気を外部に逃がすことができる。
【００１３】
上蓋と下蓋に等間隔に同一設けた抜気孔は、一致する迄動かすと開口部の抜気孔が最大になり加熱調節が簡単にでき、鍋の中の上昇した熱い空気を、保温を保ちながら一気に逃がすことができる。抜気孔を閉じると二重鍋蓋なので、より高い保温が保てる。
【００１４】
蓋を開けずに温度調節が自由にできるので、沸点近くなるとつまみを少しスライドさせて、抜気孔より上昇した熱い空気を少し逃がす事により、煮こぼれしてガスの火をあわてて消したり、火傷をする心配も無く、急いで蓋をのける事などをしなくて良い。
【００１５】
茶瓶などに利用して、麦茶やせんじ薬を沸かす時の蓋にも同様の効果を出す事ができる。
【００１６】
二重鍋蓋や茶瓶の蓋はカーブしていても水平でも良く、鍋の大きさや茶瓶の大きさも大体寸法が決まっているので、二重鍋蓋や二重茶瓶の蓋を、他の鍋や茶瓶に合わせて使用する事ができる。
【００１７】
上蓋と下蓋の間に中軸を介してリングを設けているので、磨耗を防ぎ回転がしやすい。
【００１８】
係止具は、下蓋を通して脱着自在に中軸に係止しているので、ワンタッチで係止具の、取り外しができ、上蓋や下蓋やリングの汚れを簡単に洗浄する事ができ、組み立ても簡単にできる。
【００１９】
上蓋と下蓋の色や素材などを変え、ツートンカラーにするとお洒落になり、より目的の効果を解らせることができる。
【００２０】
抜気孔は、上蓋周辺に上蓋と下蓋に等間隔に同一に設ける事が望ましく、汚れが付着してもつまみ近くまで及びにくい。
【考案を実施するための最良の形態】
【００２１】
煮こぼれや吹きこぼれを防止する為、鍋蓋を二重構造にして、つまみ１に中軸５と上蓋２を固着させ、リング６を介して下蓋３の裏面に脱着自在なる係止具７を設ける。
【００２２】
上蓋２と下蓋３に、等間隔に同一に設けた抜気孔４、４’の開口部を、つまみ１に固着した中軸５と上蓋２をスライドさせる事により、上蓋２の抜気孔４と下蓋３の抜気孔４’により、抜気孔４、４’の大きさを自由に調節させる事ができる。
【００２３】
上蓋２の抜気孔４と下蓋３の抜気孔４’の抜気孔を一致する迄スライドさすと開口部が最大になる。
【００２４】
煮こぼれの心配がない時は、下蓋３の抜気孔４’と抜気孔４’の間に、上蓋２の抜気孔４を持ってくるようにスライドさせると、抜気孔４、４’が塞がれ普通の鍋蓋として、より高い保温を有して使用できる。
【００２５】
鍋蓋の大きさや茶瓶の蓋の大きさも大体寸法が決まっているので、二重鍋蓋や二重茶瓶蓋だけを他の鍋や茶瓶に合わせて、利用させる事が可能である。
【００２６】
つまみ１に中軸５と上蓋２が固着され、リング６を介して下蓋３の裏面に係止具７を設けているので、リング６により回転が良く、磨耗を防ぐ。
【００２７】
上蓋２を回すにはつまみ１以外に、上蓋２の一部に突起を設けて回すようにしても同じ効果出せる事ができる。
【００２８】
上蓋２と下蓋３の配色や素材を変えるとお洒落になり、温度調節の効果を解らせられる。
【００２９】
つまみ１に中軸５と上蓋２が固着され、リング６を介して下蓋３の裏面に係止具７を設けているので、その係止具７を、ワンタッチで脱着自在にはずして、上蓋２と下蓋３やリング６を別々にする事が出来、汚れを洗浄する事が簡単であり、組み立ても簡単に出来る。
【００３０】
係止具７は、差込式、ねじ込み式バネ式何れでも脱着自在なら可能である。
【００３１】
材料は、金属、合成樹脂、硬質ガラスなど熱に強く適度な重さがあるものが良い。
【実施例】
【００３２】
以下、実施例にもとづき添付図面を参照して説明する。図１は、本考案の二重鍋蓋の平面図である。つまみ１に中軸５と上蓋２が固着され、上蓋２と下蓋３に等間隔に同一の抜気孔４、４’を設け、下蓋３の抜気孔４’と抜気孔４’の間に、上蓋２の抜気孔４、４をスライドさせて閉じた普通の鍋蓋状態である。
【００３３】
上蓋２と下蓋３の抜気孔４、４’を一致する迄スライドさせると抜気孔４、４’が一致して最大になり、加熱による熱い空気を外部に逃がし、煮汁などの吹きこぼれを防止する事ができ、蓋を開けずに加熱調節が簡単に出来る。
【００３４】
図２は、本考案の二重鍋蓋の側面図である。抜気孔４、４’は閉じられた状態である。
【００３５】
図３は、使用状態を示す斜視図の側面図である。つまみ１を少しスライドさせて上蓋２と下蓋３の抜気孔４、４’から、鍋の中の熱い空気を外部に逃がしているところである。
図４は、上蓋２と下蓋３の抜気孔４、４’を一致する迄スライドして一致させ、抜気孔４、４’を最大にした状態の二重鍋蓋の使用状態を示す斜視図である。
図５は、二重茶瓶蓋の斜視図である。
図６は、二重鍋蓋の断面図である。つまみ１に中軸５と上蓋２が固着され、下蓋３の間にリング６を介して中軸５を挿入して、下蓋３の裏面に脱着自在の係止具７を設けている。
【００３６】
係止具７をはずすと、上蓋２と下蓋３やリング６は、はずされ洗浄が簡単である。
【００３７】
上蓋２と、下蓋３はリンク６を介して摺動的に密着している。
【００３８】
材料は、金属、合成樹脂、硬質ガラスなど熱に強く適度な重さがあるものが良い。
【００３９】
上蓋２と下蓋３を、ツートンカラーや、素材を変えても良い。
【図面の簡単な説明】
【００４０】
【図１】二重鍋蓋の平面図
【図２】二重鍋蓋の側面図
【図３】使用時の側面の斜視図
【図４】使用時の空気孔を一致させた斜視図
【図５】茶瓶二重蓋の斜視図
【図６】二重鍋蓋の断面図
【符号の説明】
【００４１】
１  つまみ
２  上蓋
３  下蓋
４  抜気孔
４’下蓋抜気孔
５  中軸
６  リング
７  係止具
【図１】
0003124612.tif 000003
【図２】
0003124612.tif 000004
【図３】
0003124612.tif 000005
【図４】
0003124612.tif 000006
【図５】
0003124612.tif 000007
【図６】
0003124612.tif 000008